(57)【要約】      （修正有）【課題】皮膚表面に存在する皮溝、皮丘の凹凸の表面形状を非接触で計測するための皮膚固定治具を備え、更に皮膚処理前後での表面形状の変化を評価できる装置及び方法を提供する。【解決手段】開口部の面積が３ｃｍ２以下の狭域拘束板９を皮膚に押し当てることで、皮膚の脈動や体動を抑制し、精度高く皮膚の表面形状を測定、評価する。更に、開口部の面積が、狭域拘束板の開口部の面積より広く、かつ１０ｃｍ２以下の広域開口部８ａを有する広域拘束板８を併用することで、皮膚処理前後の皮膚表面形状の変化を測定、評価する。【選択図】図２
2014240793.tif 000002
【特許請求の範囲】
【請求項１】
下記ａ）〜ｄ）の工程を含む、皮膚処理による皮膚表面形状変化を測定する方法。
ａ）開口部面積が狭域拘束板の狭域開口部より広く、かつ該開口部面積が１０ｃｍ２以下の広域開口部を有する広域拘束板を皮膚に押し当てる。
ｂ）前記広域拘束板の前記広域開口部より露出している皮膚に、該広域開口部を通じて開口部面積が３ｃｍ２以下の前記狭域開口部を有する前記狭域拘束板の該狭域開口部を押し当て、その押し当て状態下に、該狭域開口部を通じて処理前の皮膚の表面形状を計測する。
ｃ）前記狭域拘束板を皮膚から離し、前記広域拘束板の前記広域開口部より露出している皮膚に処理を施す。
ｄ）前記狭域拘束板を前記位置に戻し、前記処理後の皮膚の表面形状を前記狭域開口部を通じて計測する。
【請求項２】
前記広域拘束板の前記開口部面積が８ｃｍ２以下であり、前記狭域拘束板の前記開口部面積が０．１ｃｍ２以上１ｃｍ２以下である、請求項１に記載の方法。
【請求項３】
開口部面積が３ｃｍ２以下の狭域開口部を有する狭域拘束板を皮膚に押し当て、皮膚表面形状を測定する方法。
【請求項４】
三次元形状計測ユニット及び開口部面積が３ｃｍ２以下の狭域開口部を有する狭域拘束板を備えた、皮膚表面形状測定装置。
【請求項５】
更に、開口部面積が前記狭域拘束板の前記狭域開口部より広く、かつ該開口部面積が１０ｃｍ２以下である広域開口部を有し、該狭域拘束板の該狭域開口部より露出する皮膚を含む領域を拘束できる広域拘束板を備えた、請求項４に記載の皮膚表面形状測定装置。
【請求項６】
前記広域拘束板、前記狭域拘束板及び前記三次元形状計測ユニットが、同一のステージの上に設置されており、かつ該広域拘束板、該狭域拘束板及び該三次元形状計測ユニットの位置関係を制御することができる機構を有する、請求項５に記載の皮膚表面形状測定装置。
【請求項７】
計測部位を固定する前記狭域拘束板が、被験部皮膚の法線方向に１ｃｍ以上の距離を精密に移動する機構を有する、請求項５又は６に記載の皮膚表面形状測定装置。
【請求項８】
前記狭域拘束板の前記開口部面積が０．１ｃｍ２以上１ｃｍ２以下であり、
前記広域拘束板の前記開口部面積が、前記狭域拘束板の前記開口部面積より広く、かつ８ｃｍ２以下である請求項５ないし７のいずれか一項に記載の皮膚表面形状測定装置。
【請求項９】
更に頭部固定装置を備えた請求項４ないし８のいずれか１項に記載の皮膚表面形状測定装置。
【発明の詳細な説明】
【技術分野】
【０００１】
本発明は、ヒト皮膚表面形状の計測技術に関する。特に皮丘・皮溝といった微細な凹凸の形状計測技術に関する。また本発明は、本技術を活用することによる、皮膚性状の個人差や加齢変化の評価法、処理剤（化粧料、溶媒、水など）による処理前後での皮膚表面形状変化の評価法、洗浄前後での皮膚表面形状変化の評価法、周囲の環境変化に伴う皮膚表面形状変化の評価法に関する。
【背景技術】
【０００２】
ヒト皮膚の表面形状は、皮膚の見た目の印象と密接に関係していることがよく知られている。ヒト皮膚の表面形状は個人、部位、年齢などによって異なり、また皮膚の処理によって変化する。したがって、化粧料・洗浄料などによる処理効果の把握には、皮膚の表面形状の把握は非常に重要である。
【０００３】
皮膚表面形状の測定法としては、例えば、たるみやしわの評価として、光切断法や格子パターン投影法がよく用いられている。また、しわよりも小さな凹凸である皮溝・皮丘の形状に関しては、シリコーンラバー等の印象材を用いて皮膚表面の鋳型（レプリカ）を採取し、レプリカの形状を共焦点レーザー顕微鏡等の手法で計測することが行われている。
【０００４】
上述のレプリカを用いた手法では、以下のような問題が知られている（例えば非特許文献１）。１）印象材を計測部位に塗布するため、化粧料の塗布などによる皮膚表面形状の変化を評価することが困難である。２）印象材が硬化するまでの間に印象材の閉塞効果により角層膨潤も進行するため、本来の未閉塞状態の皮丘・皮溝構造を転写できない。３）印象材には、μｍオーダーの微小な構造までは正確に転写できない。このような問題を回避するために、格子パターン投影法等による非接触での皮溝・皮丘の形状計測が試みられている。しかし格子パターン投影法では、脈動や体動の影響を受けるため、４０μｍ以下の凹凸については、十分な精度での測定ができないことが知られている（例えば非特許文献２）。
【先行技術文献】
【非特許文献】
【０００５】
【非特許文献１】高橋元次、美容皮膚科学、１２６−１４４（２００５）
【非特許文献２】高橋元次、FRAGRANCE JOURNAL、２６−３７（２００６−９）
【発明の概要】
【発明が解決しようとする課題】
【０００６】
皮膚表面に存在する皮溝、皮丘の凹凸の表面形状を非接触で計測する場合には、脈動や体動の影響により発生する測定精度の低下が顕著である。よって本発明は、皮膚表面に存在する皮溝、皮丘の凹凸の表面形状を非接触で計測するための皮膚固定治具（拘束板）を備えた装置及び方法、更に皮膚処理前後での表面形状の変化を評価できる装置及び方法を提供することに関する。
【課題を解決するための手段】
【０００７】
本発明者らは、開口部面積が３ｃｍ２以下の板（狭域拘束板）を皮膚に押し当てることで、皮膚の脈動や体動を抑制し、精度高く皮膚の表面形状を測定、評価できることを見出した。
更に、開口部面積が狭域拘束板の開口部面積より広く、かつ１０ｃｍ２以下の開口部を有する板（広域拘束板）と前記狭域拘束板を併用することで、皮膚処理前後の皮膚表面形状の変化を測定、評価できることを見出した。
【０００８】
すなわち本発明は、下記に係るものである。
（１）下記ａ）〜ｄ）の工程を含む、皮膚処理による皮膚表面形状変化を測定する方法。
ａ）開口部面積が狭域拘束板の狭域開口部より広く、かつ該開口部面積が１０ｃｍ２以下の広域開口部を有する広域拘束板を皮膚に押し当てる。
ｂ）前記広域拘束板の前記広域開口部より露出している皮膚に、該広域開口部を通じて開口部面積が３ｃｍ２以下の前記狭域開口部を有する前記狭域拘束板の該狭域開口部を押し当て、その押し当て状態下に、該狭域開口部を通じて処理前の皮膚の表面形状を計測する。
ｃ）前記狭域拘束板を皮膚から離し、前記広域拘束板の前記広域開口部より露出している皮膚に処理を施す。
ｄ）前記狭域拘束板を前記位置に戻し、前記処理後の皮膚の表面形状を前記狭域開口部を通じて計測する。
（２）開口部面積が３ｃｍ２以下の狭域開口部を有する狭域拘束板を皮膚に押し当て、皮膚表面形状を測定する方法。
（３）三次元形状計測ユニット及び開口部面積が３ｃｍ２以下の狭域開口部を有する狭域拘束板を備えた、皮膚表面形状測定装置。
【発明の効果】
【０００９】
本発明の計測装置及び方法によれば、皮膚表面に存在する皮溝、皮丘の凹凸の表面形状の非接触での計測が可能となり、皮膚表面形状の個人差や加齢の影響、更に皮膚処理前後での表面形状の変化等を評価することができる。
【図面の簡単な説明】
【００１０】
【図１】図１は、本発明の頭部計測装置の全体を示す模式図である。
【図２】図２は、図１に示す装置における頭部固定部を示す模式図である。
【図３】図３は、図１に示す装置における拘束板を示す斜視図である。
【図４】図４は、図３に示す拘束板を皮膚に押し当てた状態を示す模式図である。
【図５】図５は、拘束板を皮膚に押し当てて皮膚の表面形状を測定する様子を示す模式図である。
【図６】図６は、図５に示す状態から狭域拘束板を離間させて、皮膚を処理する状態を示す模式図である。
【図７】図７（ａ）は、実施例の被験者の皮膚における測定部位の二次元画像であり、図７（ｂ）は三次元画像である。
【図８】図８（ａ）は、広域拘束板を用いて皮膚形状を５回測定したときの結果を示すグラフであり、図８（ｂ）は、狭域拘束板を用いて皮膚形状を５回測定したときの結果を示すグラフである。
【図９】図９は、拘束板の開口部の直径変化に伴う測定値の標準偏差の変化を示すグラフである。
【図１０】図１０は、図１〜図３に示す装置を用い、ヒト前腕内側の化粧料塗布前後の皮膚表面形状変化を測定したグラフ（実施例）である。
【図１１】図１１は、広域拘束板を使わず、狭域拘束板のみを用いてヒト前腕内側の化粧料塗布前後の皮膚表面形状変化を測定したグラフ（比較例）である。
【発明を実施するための形態】
【００１１】
以下本発明を、その好ましい実施形態に基づき図１〜３を参照しながら詳細に説明する。
図１は、本発明の計測装置の全体図である。この計測装置は、ヒトの顔面の皮膚形状を測定するためのものであり、特に化粧料などによる処置前後の皮膚表面形状を測定できる装置である。計測装置は、頭骨部と顎骨部を介して頭部の動きを拘束する頭部固定部Ａと、被験部位周囲に接触する開口構造を有する拘束板を備える皮膚固定部Ｂと、三次元形状計測ユニットＣとから構成されている。頭部固定部Ａと皮膚固定部Ｂと三次元形状計測ユニットＣは、同一の光学ステージ１の上に設置されている。頭部固定部Ａ及び皮膚固定部Ｂは一軸の可動ステージ５上に設置されている。三次元形状計測ユニットＣは、可動ステージ５と異なる別の一軸の可動ステージ２上に設置されている。可動ステージ２及び可動ステージ５はいずれも光学ステージ１の上に設置されている。可動ステージ２，５の移動方向は同一面内において直交している。更に頭部固定部ＡにはＺ軸ステージ６が組み込まれており、頭部固定部Ａと皮膚固定部Ｂ、及び三次元形状計測ユニットＣとのＸＹＺ方向の位置関係は、可動ステージ２，５とＺ軸ステージ６を動かすことで、最適な位置に制御できる。
可動ステージ２，５の可動方向は相互に直交していれば良いが、例えば可動ステージ２はＸ軸方向に、可動ステージ５はＹ軸方向に可動であることが好ましい。図１中、Ｘ軸方向は例えば紙面内の方向であり、Ｙ軸方向は紙面に対して直角な方向である。
【００１２】
頭部固定部Ａには、顎骨を介して頭部を固定するユニット７１と、頭骨を介して頭部を固定するユニット７２が設置されてある。
図２は頭部の固定様式を横方向から示している。同図には、顎骨を介して頭部を固定する顎骨固定ユニット７１と、頭骨を介して頭部を固定する頭骨固定ユニット７２が示されている。頭骨固定ユニット７２には拘束バンド７３が設置されている。
顔面等の頭部皮膚測定においては脈動や体動の影響が大きいため、測定に頭部固定部Ａを用いることが好ましい。固定する位置に制限はないが、顎又は皮膚厚が薄い箇所による固定が頭部の動きをより抑制できるため、より好ましい。
頭部以外の皮膚形状を測定する際には、皮膚固定部Ｂ及び三次元形状計測ユニットＣにて測定可能であり、皮膚固定部Ｂ及び三次元形状計測ユニットＣの位置関係は皮膚の向きに合わせて調整すれば良い。例えば、水平に構えた腕の皮膚を測定する場合は、腕の上部に皮膚固定部Ｂ、更にその上部に三次元形状計測ユニットＣを配置すれば良い。
【００１３】
皮膚固定部Ｂには、開口部面積の大きい広域拘束板８と、開口部面積の小さい狭域拘束板９が配置してある。広域拘束板８はＸＹ軸可動ステージ８１とＺ軸可動ステージ８２の上に取り付けてある。狭域拘束板９はＸＹ軸可動ステージ９１とＺ軸可動ステージ９２の上に取り付けてある。拘束板８，９はいずれもＸＹＺ方向に任意の位置関係に配置できる。広域拘束板８は測定対象部位を含む皮膚を広域に固定し、更に図３及び図４に示すように広域拘束板８の広域開口部８ａを通じて露出している皮膚Ｓを、狭域拘束板９によって更に固定できるようになっている。皮膚処理前後での皮膚Ｓの表面形状を測定する場合は、先ず図５に示すとおり、広域拘束板８及び狭域拘束板９にて皮膚Ｓを固定し、狭域拘束板９の狭域開口部９ａを通じて露出している皮膚Ｓの測定対象領域について処理前の表面形状を測定する。次に図６に示すとおり、被験部皮膚から狭域拘束板９をいったん離し、広域拘束板８の広域開口部８ａを通じて露出している皮膚Ｓに処理を施す。続けて図５に示すとおり、狭域拘束板９を同位置に戻し、皮膚同位置の処理後の表面形状を、狭域拘束板９の狭域開口部９ａを通じて測定する。なお図５及び図６においては、皮膚の表面形状を測定するための三次元形状計測ユニットＣの図示は省略されている。
【００１４】
広域拘束板８は、狭域拘束板９の狭域開口部９ａにおいて露出する皮膚を含む領域を拘束できるようになっている。広域拘束板８は皮膚の動きを抑制することに加え、狭域拘束板９を再現良く元の位置に戻すためのものである。皮膚処理を行わない場合、すなわち単に皮膚の皮溝、皮丘を測定する場合は、広域拘束板８の使用は必ずしも必須ではなく、狭域拘束板９のみを用いて測定可能である。ただし、脈動や体動が激しい場合での広域拘束板８の使用を制限するものではない。狭域拘束板９のみを用いて測定を行う場合、該狭域拘束板９の形状は、広域拘束板８と同様に、各面が平坦な板状の形状であっても良く、あるいは図３に示す突出部９１を有する形状であっても良い。
【００１５】
狭域拘束板９の狭域開口部９ａの面積は３ｃｍ２以下であれば精度高く皮膚表面形状を測定することが可能であり、１ｃｍ２以下がより好ましく、０.１ｃｍ２以上であれば良く、０．２ｃｍ２以上がより好ましい。
広域拘束板８の広域開口部８ａの面積は狭域拘束板９の狭域開口部９ａの面積より広い面積であれば良く、１０ｃｍ２以下であれば良いが、８ｃｍ２以下がより好ましい。
また本計測装置では狭域拘束板９が、被験部皮膚の法線方向に１ｃｍ以上の距離を精密に移動する機構を有する。精密に移動するとは１μｍ以上１００μｍ以下の単位にて移動可能な機構であることが好ましい。
【００１６】
図３には広域拘束板８、狭域拘束板９の構造が示されている。広域拘束板８は各面が平坦な板状体であり、例えば面積７．１ｃｍ２（直径３ｃｍ）の円形の広域開口部８ａが１カ所形成されている。一方、狭域拘束板９は、その一面が平坦である。他面は平坦な基面９０から突出した中空の突出部９１を有している。突出部９１は、先に述べた広域拘束板８の広域開口部８ａ内に挿入可能な形状及び寸法を有している。突出部９１はその外面が、基面９０から離れるに連れて先細になっている形状をしている。例えば突出部９１はその外面が錐体の形状をしている。図３では、外面が円錐の側面の形状をしている突出部９１が示されている。突出部９１はその内面が、基面９０から離れるに連れて縮径する形状をしている。図３及び図４では、内面がすり鉢形の形状をしている突出部９１が示されている。突出部９１の先端は開口しており、狭域開口部９ａとなっている。狭域開口部９ａは例えば０．８ｃｍ２（直径１ｃｍ）の円形となすことができる。
【００１７】
狭域拘束板９の突出部９１は基面９０からの突出高さが、広域拘束板８の厚みと同じであるか、又は該厚みよりも大きいことが好ましい。突出部９１の突出高さから広域拘束板８の厚みを差し引いた値は、０ｍｍ以上であることが好ましく、５ｍｍ以上であることが更に好ましく、５０ｍｍ以下であることが好ましく、３０ｍｍ以下であることが更に好ましい。例えば０ｍｍ以上５０ｍｍ以下であることが好ましく、５ｍｍ以上３０ｍｍ以下であることが更に好ましい。
【００１８】
拘束板８，９の材質はいずれも例えばステンレスで、厚さは例えば２ｍｍである。拘束板８，９の材質及び厚さは同一でも良く、あるいは異なっていても良い。
拘束板８，９の材質、厚さ、開口部の形状等に制限はないが、皮膚に対する刺激が少ない材質、形状にすることが好ましい。開口部８ａ，９ａの形状は、加工の容易性から円形、楕円形、又は四角形が好ましい。拘束板８，９の開口部８ａ，９ａの形状は、同一でも良く、あるいは異なっていても良い。
【００１９】
本実施形態の装置を用いて被験者の皮膚の表面形状を測定する場合には、図４に示すとおり、広域拘束板８の皮膚対向面８０を被験者の皮膚に当接させた状態下に、狭域拘束板９の突出部９１を、広域拘束板８の広域開口部８ａ内に挿入し、該突出部９１の先端に形成された狭域開口部９ａを被験者の皮膚に当接させる。このとき、同図に示すとおり、広域拘束板８の皮膚対向面８０と、狭域拘束板９の突出部９１の先端とは同位置（面一）になっていることが好ましい。尤も、本発明の有利な効果を損なわない範囲において、狭域拘束板９の突出部９１の先端が、広域拘束板８の皮膚対向面８０よりも被験者の肌に向けて突出した状態で測定を行っても良い。
【００２０】
三次元形状計測ユニットＣは皮膚形状を分解能１μｍ以下の精度にて測定できる装置であれば良い。深さ分解能１μｍ以下の三次形状が測定できる機器がより好ましい。以下に述べる実施例では市販の三次元形状測定装置（ＶＲ−３０００、キーエンス）の計測ヘッド部４を組み込んだが、前記機能を有する測定機器であればそれ以外の機器でも良い。計測ヘッド部４は、固定部材３を介して可動ステージ２上に立設されている。
【００２１】
本発明における皮膚処理とは、皮膚に化粧料等を塗布すること、皮膚に有機溶剤や水等の各種液体を接触させること、皮膚に洗浄剤を用いて洗浄すること、皮膚を温めることや冷やすこと、各種湿度の温風や冷風等を皮膚に当てること、太陽光や紫外線や赤外線等の各種光線を皮膚に照射することなど、化学的処理及び物理的処理を含む皮膚を対象としたあらゆる処理を意味する。皮膚処理効果とは、前記皮膚処理の皮膚表面形状に与える効果又は影響をいう。
【００２２】
本発明により、皮膚の皮丘・皮溝といった微細な凹凸の形状が測定可能である。そして、皮丘や皮溝の数、皮丘や皮溝の高さや深さに関する個人の計測結果を多数の人の計測結果と比較することにより、皮膚表面形状や皮膚状態を評価することが可能となる。皮膚状態とは、皮膚の平滑性、肌理の細かさ、落屑の存在量等をいう。
【００２３】
上述した実施形態に関し、本発明は更に以下の方法及び装置を開示する。
＜１＞下記ａ）〜ｄ）の工程を含む、皮膚処理による皮膚表面形状変化を測定する方法。
ａ）開口部面積が狭域拘束板の狭域開口部より広く、かつ該開口部面積が１０ｃｍ２以下の広域開口部を有する広域拘束板を皮膚に押し当てる。
ｂ）前記広域拘束板の前記広域開口部より露出している皮膚に、該広域開口部を通じて更に開口部面積が３ｃｍ２以下の前記狭域開口部を有する前記狭域拘束板を押し当て、該狭域開口部を通じて処理前の皮膚の表面形状を計測する。
ｃ）前記狭域拘束板を皮膚から離し、前記広域拘束板の前記広域開口部より露出している皮膚に処理を施す。
ｄ）前記狭域拘束板を前記位置に戻し、処理後の皮膚の表面形状を前記狭域開口部を通じて計測する。
【００２４】
＜２＞前記広域拘束板の前記広域開口部の面積が８ｃｍ２以下であり、前記狭域拘束板の前記狭域開口部面積が０．１ｃｍ２以上１ｃｍ２以下である、＜１＞に記載の方法。
＜３＞測定が三次元形状計測である、＜１＞又は＜２＞に記載の方法。
＜４＞＜１＞〜＜３＞のいずれか１に記載の方法を用いた、皮膚処理効果を評価する方法。
＜５＞皮膚処理が化粧料の塗布である、＜１＞〜＜４＞のいずれか１に記載の方法。
＜６＞開口部面積が３ｃｍ２以下の狭域開口部を有する狭域拘束板を皮膚に押し当て、皮膚表面形状を測定する方法。
【００２５】
＜７＞前記狭域開口部の面積が０.１ｃｍ２以上、３ｃｍ２以下である＜６＞に記載の方法。
＜８＞前記狭域開口部の面積が０.２ｃｍ２以上、１ｃｍ２以下である＜６＞又は＜７＞に記載の方法。
＜９＞皮膚表面形状を三次元形状計測する、＜６＞〜＜８＞のいずれか１に記載の方法。
＜１０＞＜６＞〜＜９＞のいずれか１に記載の方法を用いた、皮膚表面状態の評価方法。
＜１１＞三次元形状計測ユニット及び開口部面積が３ｃｍ２以下の狭域開口部を有する狭域拘束板を備えた、皮膚表面形状測定装置。
【００２６】
＜１２＞更に、開口部面積が前記狭域拘束板の前記狭域開口部より広く、かつ該開口部面積が１０ｃｍ２以下である広域開口部を有する広域拘束板を備えた、＜１１＞に記載の皮膚表面形状測定装置。
＜１３＞更に頭部固定装置を備えた、＜１２＞に記載の皮膚表面形状測定装置。
＜１４＞前記狭域拘束板の前記狭域開口部の面積が０．１ｃｍ２以上１ｃｍ２以下である＜１１＞〜＜１３＞のいずれか１に記載の皮膚表面形状測定装置。
＜１５＞前記広域拘束板の前記広域開口部の面積が８ｃｍ２以下である、＜１２＞〜＜１４＞のいずれかに１に記載の皮膚表面形状測定装置。
＜１６＞＜１１＞〜＜１５＞のいずれか１に記載の皮膚表面形状測定装置を用いた皮膚表面状態の評価方法。
【実施例】
【００２７】
以下、実施例により本発明を更に詳細に説明する。しかしながら本発明の範囲は、かかる実施例に制限されない。
【００２８】
〔実施例１〕
４０代の男性１名を被験者として、顔面の左頬の皮膚を測定部位とし、皮膚の表面形状測定装置で顔頬部の表面形状を計測した。図６（ａ）及び（ｂ）に測定部位の二次元画像及び三次元画像を示す。
皮膚の表面形状測定装置としては、図１に示した装置を用いた。開口部の面積が０．８ｃｍ２（直径１ｃｍ）の狭域拘束板及び開口部の面積が７．１ｃｍ２（直径３ｃｍ）の広域拘束板を用い、開口部面積の測定精度に与える影響を検討した。各拘束板はいずれも図３に示す広域拘束板８の形状をしていた。三次元形状測定装置としては、株式会社キーエンスのＶＲ−３０００を用いた。
計測結果を図８（ａ）及び（ｂ）に示す。開口部の面積が０．８ｃｍ２（直径１ｃｍ）の狭域拘束板、又は開口部の面積が７．１ｃｍ２（直径３ｃｍ）の広域拘束板を個別に用い、左頬上の同位置について、各拘束板を皮膚から離さずに、皮膚の凹凸をそれぞれ５回測定し、測定範囲における標準偏差を求めた。開口部の面積が０．８ｃｍ２（直径１ｃｍ）の狭域拘束板を使った場合は、開口部の面積が７．１ｃｍ２（直径３ｃｍ）の広域拘束板を用いた場合に比較し、標準偏差が小さく、皮膚をより安定に固定できることが確認できた。よって開口部の面積が０．８ｃｍ２（直径１ｃｍ）の狭域拘束板を用いることにより、皮膚の脈動、体動を効率良く抑制できることが確かめられた。
【００２９】
〔実施例２〕
２０代の女性１名を被験者とし、前腕内側の皮膚について、拘束板の開口部の直径を種々変化させて皮膚形状を測定した。実施例１と同様にして、上述の頭部以外の皮膚形状を測定する方法を用い、種々の開口部直径を有する拘束板を用い皮膚の凹凸を測定した。使用した拘束板はいずれも図３に示す広域拘束板８の形状をしていた。各開口部直径における標準偏差を図９に示した。
同図に示す結果から明かなとおり、開口部の面積が狭くなると標準偏差が小さくなり、測定精度が良くなることが判る。特に、開口部の面積が３ｃｍ２以下（直径が２ｃｍ以下）であれば、標準偏差が約３μｍ未満でほぼ一定となった。よって、開口部面積が３ｃｍ２以下（直径が２ｃｍ以下）であれば特に効率良く皮膚の脈動、体動を抑制できることが確かめられた。
【００３０】
〔実施例３〕
２０代の女性１名を被験者とし、前腕内側の皮膚を測定部位とし、化粧料塗布前後の皮膚形状を図１に示す表面形状測定装置で計測した。
皮膚の表面形状測定装置としては、図３に示す広域拘束板８及び狭域拘束板９を備えた装置を用いた。先ず、前腕の内側に開口部８ａの面積が７．１ｃｍ２（直径が３ｃｍ）の広域拘束板８を当て、更に露出した開口部８ａを通じて、
開口部９ａの面積が０．７９ｃｍ２（直径１ｃｍ）の狭域拘束板９の該開口部９ａを押し当て、ファンデーションを塗布する前の皮膚表面形状を測定した。次に、狭域拘束板９を皮膚から離し、ファンデーションを通常の方法にて、開口部８ａを通じて露出した皮膚に塗布した。続いて、狭域拘束板９を同位置に戻し、皮膚同位置の塗布後の表面形状を測定した。
塗布前後の皮膚表面形状の比較結果を図１０に示す。開口部の面積が異なる拘束板を複数用いることにより、全く同じ位置の皮膚表面形状が測定できたため、ファンデーション塗布前後の皮膚表面形状の変化を観察することができた。特に凹んでいる皮溝部には３０μｍ程度のファンデーションが塗布されていることが観察された。
広域拘束板８を用いずに、狭域拘束板９のみで前記と同様の測定を試みたところ、狭域拘束板９を皮膚から離す際に測定位置がずれてしまい、同位置での測定ができなかったため、図１１に示すとおり、塗布前後の皮膚表面形状の変化を正確に比較することは困難であった。
【符号の説明】
【００３１】
Ａ  頭部固定部
Ｂ  皮膚固定部
Ｃ  三次元形状計測ユニット
Ｓ    ヒト皮膚
１  光学固定ステージ
２．５  一軸可動ステージ
３  固定部材
４  三次元形状測定装置のヘッド部
６  Ｚ軸可動ステージ
７１  顎骨固定ユニット
７２  頭骨固定ユニット
７３  拘束バンド
８  広域拘束板
９  狭域拘束板
８１，９１  ＸＹ軸可動ステージ
８２，９２  Ｚ軸可動ステージ
【図１】
2014240793.tif 000003
【図２】
2014240793.tif 000004
【図３】
2014240793.tif 000005
【図４】
2014240793.tif 000006
【図５】
2014240793.tif 000007
【図６】
2014240793.tif 000008
【図７】
2014240793.tif 000009
【図８】
2014240793.tif 000010
【図９】
2014240793.tif 000011
【図１０】
2014240793.tif 000012
【図１１】
2014240793.tif 000013